(57)【要約】  ワイヤレスチャンネルを経てデータを送信するためのシステム及び方法が開示される。ある実施形態では、データの送信は、畳み込み符号化されたデータを受け取って、そのデータを更に反復符号化することによりそのデータの送信を向上させることを含む。
2007506359.tif 000002
【特許請求の範囲】
【請求項１】
ワイヤレスチャンネルを経てデータを送信する方法において、
畳み込み符号化されたデータを受信するステップと、
前記データを更に反復符号化することにより前記データの送信を向上させるステップと、
を備えた方法。
【請求項２】
前記データは周波数ドメインにおいて反復される、請求項１に記載のワイヤレスチャンネルを経てデータを送信する方法。
【請求項３】
前記データは時間ドメインにおいて反復される、請求項１に記載のワイヤレスチャンネルを経てデータを送信する方法。
【請求項４】
データにマスクをして、そのピーク対平均比を減少するステップを更に備えた、請求項２に記載のワイヤレスチャンネルを経てデータを送信する方法。
【請求項５】
擬似ランダムシーケンスを適用することによりデータにマスクをするステップを更に備えた、請求項１に記載のワイヤレスチャンネルを経てデータを送信する方法。
【請求項６】
前記データは、ＩＥＥＥ８０２．１１ａ／ｇ符号化器を使用して符号化される、請求項１に記載のワイヤレスチャンネルを経てデータを送信する方法。
【請求項７】
前記データは、インターリーブの前にデータをパディングする必要性を低減するように、反復符号化の後にインターリーブされる、請求項１に記載のワイヤレスチャンネルを経てデータを送信する方法。
【請求項８】
ワイヤレスチャンネルを経てデータを受信する方法において、
畳み込み符号化され且つ反復符号化されたデータを受信するステップと、
前記反復符号化されたデータを結合して、結合データを発生するステップと、
前記結合データを復号するステップと、
を備えた方法。
【請求項９】
前記結合データはビタビ復号器を使用して復号される、請求項８に記載のワイヤレスチャンネルを経てデータを受信する方法。
【請求項１０】
前記反復符号化されたデータは、時間ドメインにおいて反復される、請求項８に記載のワイヤレスチャンネルを経てデータを受信する方法。
【請求項１１】
前記反復符号化されたデータは、周波数ドメインにおいて反復される、請求項８に記載のワイヤレスチャンネルを経てデータを受信する方法。
【請求項１２】
前記受信されたデータは、擬似ランダムマスクにより更に符号化され、該擬似ランダムマスクを除去するステップを更に備えた、請求項８に記載のワイヤレスチャンネルを経てデータを受信する方法。
【請求項１３】
前記畳み込み符号化は、ＩＥＥＥ８０２．１１ａ／ｇ規格の畳み込み符号化に適合する、請求項８に記載のワイヤレスチャンネルを経てデータを受信する方法。
【請求項１４】
前記データを結合する前に前記データをデインターリーブするステップを更に備えた、請求項８に記載のワイヤレスチャンネルを経てデータを受信する方法。
【請求項１５】
前記反復符号化されたデータは、サブチャンネルにおいて周波数ドメインで反復され、そして前記反復符号化されたデータを結合して結合データを発生する前記ステップは、各サブチャンネルの作用を補償することを含む、請求項８に記載のワイヤレスチャンネルを経てデータを受信する方法。
【請求項１６】
前記反復符号化されたデータは、サブチャンネルにおいて周波数ドメインで反復され、そして前記反復符号化されたデータを結合して結合データを発生する前記ステップは、異なるサブチャンネルで受信されたデータを、それらサブチャンネルのクオリティに基づいて重み付けすることを含む、請求項８に記載のワイヤレスチャンネルを経てデータを受信する方法。
【請求項１７】
前記反復符号化されたデータは、サブチャンネルにおいて周波数ドメインで反復され、前記結合データに含まれたビットに対して総計チャンネルクオリティ推定がなされ、そして前記総計チャンネルクオリティ推定は、ビタビにより、最大見込み送信データシーケンスを決定するのに使用される、請求項８に記載のワイヤレスチャンネルを経てデータを受信する方法。
【請求項１８】
前記受信された反復符号化されたデータを使用して位相オフセットを推定するステップを更に備えた、請求項８に記載のワイヤレスチャンネルを経てデータを受信する方法。
【請求項１９】
ハード判断を行いそしてハード判断修正信号を決定することにより、前記受信された反復符号化されたデータを使用して位相オフセットを推定するステップを更に備えた、請求項８に記載のワイヤレスチャンネルを経てデータを受信する方法。
【請求項２０】
ハード判断を行いそしてハード判断修正信号を決定することにより、前記受信された反復符号化されたデータを使用して位相オフセットを推定するステップと、
中間フィルタを使用して前記推定された位相オフセットをフィルタリングするステップと、
を更に備えた請求項８に記載のワイヤレスチャンネルを経てデータを受信する方法。
【請求項２１】
ワイヤレスチャンネルを経て送信するためのデータを符号化するシステムにおいて、
データを畳み込み符号化するように構成された畳み込み符号化器と、
データを更に反復符号化することにより前記畳み込み符号化されたデータの送信を向上させるように構成された反復符号化器と、
を備えたシステム。
【請求項２２】
インターリーバーを更に備えた、請求項２１に記載のデータを符号化するシステム。
【請求項２３】
前記反復コード化されたデータに擬似ランダムマスクを重畳させるように構成されたマスキングプロセッサを更に備えた、請求項２１に記載のデータを符号化するシステム。
【請求項２４】
ワイヤレスチャンネルを経てデータを受信するシステムにおいて、
畳み込み符号化され且つ反復符号化されたデータを受信するように構成された受信器と、
前記反復符号化されたデータを結合して、結合データを発生するように構成されたデータ結合器と、
前記結合データを復号するように構成された復号器と、
を備えたシステム。
【請求項２５】
前記結合データをデインターリーブするように構成されたデインターリーバーを更に備えた、請求項２４に記載のデータを受信するシステム。
【請求項２６】
前記復号器はビタビ復号器である、請求項２４に記載のデータを受信するシステム。
【請求項２７】
マスク除去装置を更に備えた、請求項２４に記載のデータを受信するシステム。
【請求項２８】
ハード判断を行いそしてハード判断修正信号を決定することにより位相オフセットを決定するように構成された位相オフセットプロセッサを更に備えた、請求項２４に記載のデータを受信するシステム。
【発明の詳細な説明】
【技術分野】
【０００１】
本発明は、一般に、ワイヤレス通信システムのためのデータ送信機構に係る。より詳細には、ワイヤレスシステムのための反復コード化機構について開示する。
【背景技術】
【０００２】
参考としてここに取り上げるＩＥＥＥ８０２．１１ａ、８０２．１１ｂ、及び８０２．１１ｇ規格は、２．４ＧＨｚ及び５ＧＨｚの帯域におけるワイヤレス通信システムを規定している。８０２．１１ａ／ｇ規格として書かれた８０２．１１ａ及び８０２．１１ｇ規格の結合を、ここでは、例示の目的で繰り返し引用する。ここに述べる技術は、８０２．１１ｂ規格にも適宜に適用できることに注意されたい。拡張された範囲にわたり又はノイズの多い環境において通信するための別のシステムが開発できれば、有用であろう。このような通信は、集合的に、ここでは、拡張範囲通信と称される。ＩＥＥＥ８０２．１１ａ／ｇ規格は、エラー修正を含む健全なデータ符号化機構を規定する。しかしながら、拡張範囲通信の場合には、低いデータレートの、より健全なデータ送信機構が要求される。
【発明を実施するための最良の形態】
【０００３】
本発明は、同じ構造要素が同じ参照番号で示された添付図面を参照した以下の詳細な説明から容易に理解されよう。
本発明は、プロセス、装置、システム、又はコンピュータ読み取り可能な媒体、例えば、コンピュータ読み取り可能な記憶媒体、或いはプログラムインストラクションが光学的又は電子的通信リンクを経て送信されるコンピュータネットワークを含む多数の仕方で実施できることが明らかであろう。ここに開示するプロセスのステップの順序は、本発明の範囲内で変更し得ることに注意されたい。
【０００４】
本発明の原理を例示する添付図面に沿って本発明の１つ以上の好ましい実施形態を詳細に説明する。本発明は、このような実施形態について説明するが、これに限定されるものでないことを理解されたい。逆に、本発明の範囲は、特許請求の範囲のみによって限定され、本発明は、多数の代替物、変更及び等効物を包含する。本発明を完全に理解するために、例示の目的で、多数の特定の細部を以下に説明する。本発明は、これら特定の細部の幾つか又は細部を伴わずに、特許請求の範囲に基づいて実施することができる。明瞭化のために、本発明に関連した技術的分野で知られている技術的な資料は、本発明を不必要に不明瞭にしないために詳細に述べない。
【０００５】
以下に述べる典型的なシステムでは、通信されるべきデータのセットを表わすビットが畳み込み符号化されるか、さもなければ、値に変換される。ＢＰＳＫ、ＱＰＳＫ、１６ＱＡＭ又は３２ＱＡＭのような種々の形式の変更が使用されてもよい。ここに更に説明するＢＰＳＫの場合には、各ＢＰＳＫ記号は、２つの値の１つをもつことができ、そして各ＢＰＳＫ記号は、１ビットに対応する。ＯＦＤＭ記号は、異なるサブチャンネルを経て送信される４８個の値を含む。拡張範囲を与えるために、送信される各値は、送信器により数回反復される。一実施形態では、ビットは、ＩＥＥＥ８０２．１１ａ／ｇ規格に対して規定された符号化機構と同じ符号化機構を使用して畳み込み符号化される。符号化された各値が反復されそして送信される。これらの値は、周波数ドメインで反復されるのが好ましいが、時間ドメインで反復されてもよい。ある実施形態では、反復コード化は、インターリーブの前に実施され、そしてその反復される値を取り扱うために特別に設計されたインターリーバーが使用される。更に、送信される信号のピーク対平均比を下げるために、ＯＦＤＭ記号に擬似ランダムコードを重畳してもよい。
【０００６】
受信器は、反復コード化された値に対応する信号の各々を結合し、次いで、その結合された信号を使用して、値を回復する。値が周波数ドメインで結合される実施形態では、異なるサブチャンネル転送機能及び位相シフトエラーに対して修正を行うようにして信号がコヒレントに結合される。この説明及び請求の範囲の目的上、「コヒレント」な結合とは、信号が完全にコヒレントに結合されることを意味すると解釈されてはならず、ある程度の位相修正だけは実施される。異なるサブチャンネルからの信号は、各サブチャンネルのクオリティに基づいて重み付けされる。最も見込みのある送信シーケンスの決定を容易にするために、結合されるサブチャンネルの重みがビタビ(Viterbi)検出器に与えられる。
【０００７】
ＩＥＥＥ８０２．１１ａ／ｇ規格に組み込まれた変調及び符号化機構を使用すると、同じ変調技術及びベースコードレートが変化せず且つ反復コード化が使用されると仮定すれば、必要な信号対雑音比がデータレートと共に直線的に減少する。より良好なコード又は外部コードの使用により更に別の利得をある程度達成することができる。しかしながら、ＩＥＥＥ８０２．１１ａ／ｇ規格及び拡張範囲モードの両方を実施することのできるデュアルモードシステムにおいては、これらの技術により導入される複雑さが、達成できる限定された利得の価値にもならない。値の反復を実施することは、比較的簡単で、多くの場合に効率的である。
【０００８】
反復コードは、時間ドメイン又は周波数ドメインのいずれかで実施することができる。時間ドメインの反復については、時間ドメインにおけるＯＦＤＭ記号（ＩＦＦＴオペレーションの後の）が、データレートに基づいて、希望の回数、反復される。この機構は、時間ドメインにおいてｒ回反復されるＯＦＤＭ記号に対して１つのガードインターバルしか要求されないので、効率が良いという利点を有する。
【０００９】
図１Ａは、正規の８０２．１１ａ／ｇＯＦＤＭパケットのデータ部分を示す図である。各ＯＦＤＭ記号１０２は、ガードバンド１０４により分離される。図１Ｂは、各記号が２回（ｒ＝２）反復される変形型の８０２．１１ａ／ｇＯＦＤＭパケットのデータ部分を示す図である。反復される記号１１２の各セットが単一のガードバンド１０４により分離されている。反復される記号と記号との間にはガードバンドが必要とされない。
【００１０】
又、ＯＦＤＭ記号は、周波数ドメインにおいて反復することもできる（ＩＦＦＴの前に）。この機構の欠点は、時間ドメインにおける各ＯＦＤＭ記号間に１つのガードインターバルを挿入しなければならないことである。というのは、周波数ドメインの反復を伴うＯＦＤＭ記号が周期的でないからである。しかしながら、周波数ダイバーシティを達成するように周波数ドメインにおいて反復パターンが構成される場合には、周波数ドメインにおける反復は、良好な多経路性能を得ることができる。
【００１１】
送信器と受信器との間で信号が１回以上反射されるような典型的な環境では、経路と経路との間の位相差が１８０°に接近し得るので、ある反射信号と直接信号とが受信器において打ち消し合う傾向になることが考えられる。異なる周波数の場合には、経路と経路との間の位相差が異なり、従って、周波数ダイバーシティを得るために異なる周波数間に反復値を分散させると、少なくとも幾つかの値は、結合及び読み取りに充分な信号強度で受信器に到達することが保証される。周波数ダイバーシティの利益を最大にするために、実施可能な程度に広く離間されたサブチャンネルにわたって値を反復するのが好ましい。というのは、隣接サブチャンネル間の位相差が小さいからである。
【００１２】
図２Ａは、ＩＥＥＥ８０２．１１ａ／ｇ仕様書に規定されたもののようなインターリーバーの出力の後に反復符号化器が配置された送信器システムを示す図である。この例示的システムでは、ＢＰＳＫ変調が実施され、そして反復符号化器及びインターリーバーは、ビットに対して動作するものとして説明され、これは、対応する値に対して動作するのと同等である。他の実施形態では、他の変調機構が使用されてもよく、そして値が反復されてインターリーブされてもよい。インターリーバーは、畳み込み符号化器により導入された連続ビット間の相関を除去するために送信されるビットの順序を変化させる目的でＩＥＥＥ８０２．１１ａ／ｇ送信器仕様に含まれる。到来するデータは、畳み込み符号化器２０２により畳み込み符号化される。畳み込み符号化器２０２の出力は、ＩＥＥＥ８０２．１１ａ／ｇインターリーバー２０４によりインターリーブされる。反復符号化器２０６は、ビットを反復し、そして擬似ランダムマスク結合器２０８は、以下に述べるように、信号のピーク対平均比を減少する目的で、反復符号化器２０６の出力を擬似ランダムマスクと結合する。この信号は、次いで、ＩＦＦＴプロセッサ２１０により処理された後に、送信される。
【００１３】
図２Ｂは、図２Ａに示す送信器システムにより送信された信号を受信するための受信器システムを示す図である。受信した信号は、ＦＦＴプロセッサ２２０により処理される。ＦＦＴプロセッサ２２０の出力は、擬似ランダムマスクを除去するマスク除去装置２１８へ入力される。データ結合器２１６は、反復符号化されたデータを非反復データのストリームへと結合する。データ結合器２１６の動作は、以下に詳細に説明する。ＩＥＥＥ８０２．１１ａ／ｇデインターリーバー２１４は、データをデインターリーブし、そしてビタビ復号器２１２は、送信システムに最初に入力されたデータの最も見込みのあるシーケンスを決定する。
【００１４】
図２Ａ及び２Ｂに示すシステムは、正規の８０２．１１ａ／ｇシステムと同じインターリーバー及びデインターリーバーを使用することができ、そして反復コーダーがＩＦＦＴブロックの直前に配置されるので反復パターンを設計する上で融通性を有する。しかしながら、これは、幾つかの欠点を有する。送信器ではデータパディングが要求され、そして受信器ではデータバッファが要求される。ビットは、送信されるべきバイト数及びデータレートに基づいてパディングされねばならない。パディングされるビットの数は、１つのＯＦＤＭ記号でどれほどのビットを搬送できるかによって決定される。８０２．１１ａ／ｇインターリーバーは、ＢＰＳＫ変調に対して４８個のコード化ビットで機能するので、コード化ビットの数を４８の倍数にするためにビットをパディングする必要がある。反復コーダーがインターリーバーの後に配置されているので、６Ｍｂｐｓより低いデータレートでは不必要なビットを追加することによりデータをパディングすることが必要となる。
【００１５】
例えば、１つのＯＦＤＭ記号は、１／４Ｍｂｐｓのデータレートにおいて厳密に１個の非コード化反復ビットを搬送する。ＯＦＤＭ記号は、その１つのビットから発生できるので、余計な非コード化ビットを追加する必要がなく、従って、原理的にパディングは必要とされない。しかしながら、８０２．１１ａ／ｇインターリーバーの特殊な構造により、コード化ビットの数をインターリーバーの前で４８の倍数にするために、多数のビットをパディングすることが必要になる。パディングされるビットは、情報を搬送せず、送信のオーバーヘッドに追加され、送信をより非効率的なものにする。
【００１６】
一方、反復符号化器がインターリーバーの後に配置される場合には、４８個のインターリーブされたビットから発生される反復コード化ビットが、多数のＯＦＤＭ記号にわたって分布される。それ故、受信器は、データのデインターリーブ動作を実行できる前に、多数のＯＦＤＭ記号を処理することが必要となる。それ故、周波数ドメインデータを記憶するために付加的なバッファが必要になる。
【００１７】
反復符号化器から出力されるビットに対して動作するようにインターリーバーを設計し直すことにより、システムを改善できると共に、送信器におけるデータパディング及び受信器におけるデータバッファの必要性を排除することができる。
【００１８】
図３Ａは、以下に述べるもののような反復コード化ビットを取り扱うように設計されたインターリーバーの入力の前に反復符号化器が配置された送信器システムを示す図である。到来するデータは、畳み込み符号化器３０２により畳み込み符号化される。畳み込み符号化器３０２の出力は、反復符号化器３０４により反復符号化される。インターリーバー３０６は、反復コード化されたビットをインターリーブする。インターリーバー３０６は、データパディングが要求されないと共に、低い反復レベルに対して、ビットをインターリーブして反復ビットを分離するように、設計される。擬似ランダムマスク結合器３０８は、以下に述べるように、信号のピーク対平均比を減少する目的で、インターリーバー３０６の出力を擬似ランダムマスクに結合する。信号は、次いで、ＩＦＦＴプロセッサ３１０により処理された後に、送信される。
【００１９】
図３Ｂは、図３Ａに示す送信器システムにより送信された信号を受信するための受信器システムを示す図である。受信された信号は、ＦＦＴプロセッサ３２０により処理される。ＦＦＴプロセッサ３２０の出力は、擬似ランダムマスクを除去するマスク除去装置３１８へ入力される。デインターリーバー３１６がデータをデインターリーブする。データ結合器３１４は、反復符号化されたデータを非反復データのストリームへと結合する。データ結合器３１４の動作は、以下に詳細に説明する。ビタビ復号器３１２は、送信システムに最初に入力されたデータの最も見込みのあるシーケンスを決定する。
【００２０】
デインターリーバー３０６は、完全な周波数ダイバーシティを得るために同じ（反復）データが周波数ドメインにおいて充分分離して送信されるよう設計されるのが好ましい。例えば、一実施形態において、１Ｍｂｐｓモードに対する周波数ドメインでの反復パターンは、各ビットを６回反復する。周波数ドメインにおけるデータをｄ1、ｄ2、・・・ｄ8と表わすと、データの反復シーケンスは、次のように与えられる。
ｄ1ｄ1ｄ1ｄ1ｄ1ｄ1ｄ2ｄ2ｄ2ｄ2ｄ2ｄ2・・・ｄ8ｄ8ｄ8ｄ8ｄ8ｄ8
【００２１】
同じデータがグループ形態で配置される。というのは、これらのデータを受信器において結合するのが容易だからである。反復データは、ｒ個（この例では６個）のデータが得られた後にのみ結合できることに注意されたい。
【００２２】
上記例の反復パターンは、考えられる最大の周波数ダイバーシティを与えない。というのは、隣接するサブチャンネルに送信される同じデータ間の間隔が充分に大きなものでなく、そして同じデータに対応するサブチャンネルが完全に独立していないからである。特に、大きな遅延の広がりをもつ多経路チャンネルの場合には、大きな周波数ダイバーシティが望ましい。それ故、インターリーバー３０６は、実際的な大きさの周波数ダイバーシティを得るように周波数ドメインにおいて反復データを広げるよう設計される。
【００２３】
一実施形態において、インターリーバーは、１Ｍｂｐｓより高速のデータレートに対してインターリーバーにより与えられる周波数ダイバーシティを最適化するように設計される（反復数≦６）。低いデータレート１／２及び１／４Ｍｂｐｓの場合には、隣接サブチャンネルが使用される場合でも周波数ダイバーシティを与えるに充分なサブチャンネルをカバーするに足る反復が存在する。以下に述べる好ましいインターリーバーでは、反復ビットは、少なくとも８個のサブチャンネルだけ分離され、そして畳み込み符号化器からの連続的なコード化ビットは、少なくとも３個のサブチャンネルだけ分離される。インターリーバーは、次のステップに基づいて設計される。
【００２４】
１．ビットが少なくとも８個のサブチャンネルだけ分離されることを規定する第１のルールを満足するために、図４Ａに示すように、６ｘ８のテーブルが作成される。
２．図４Ｂに示すように、連続するコード化ビットが少なくとも３つのサブチャンネルだけ分離されることを規定する第２のルールを満足するために列がスワップされる。
３．図４Ｃに示すように、反復ビット間の分離は、行をスワップすることにより増加される。ここに示す例では、３Ｍｂｐｓの場合に反復ビットが少なくとも１６ビンだけ分離される（３Ｍｂｐｓの場合、反復数＝２であり、従って、各ビットが一度反復される）。
【００２５】
ここに例示するインターリーバーに対して、そのインターリーバーへの入力が｛１、２、３・・・４８｝である場合には、出力が、｛１、１９、３７、７、２５、４３、１３、３１、４、２２、４０、１０、２８、４６、１６、３４、２、２０、３８、８、２６、４４、１４、３２、５、２３、４１、１１、２９、４７、１７、３５、３、２１、３９、９、２７、４５、１５、３３、６、２４、４２、１２、３０、４８、１８、３６｝となる。
【００２６】
周波数ドメインにおける値の反復は、特に、非常に低いデータレート（即ち大きな反復数）の場合に、時間ドメインにピークを発生する傾向がある。大きなピーク対平均比（ＰＡＲ）は、システム、特に、送信電力増幅器に対して問題を引き起こす。この問題は、異なる周波数で送信される値をスクランブル又はマスキングしてそれらが全て同じでないようにすることで改善できる。マスキング機構が知られている限り、スクランブルを受信器において元に戻すことができる。一実施形態では、周波数ドメインデータは、ＰＡＲに関して入念に設計された８０２．１１ａ／ｇの長い記号で乗算される。図２から明らかなように、マスクオペレーションは、ＩＦＦＴオペレーションの直前に実行される。一般に、反復される値を、ＰＡＲを適当に減少するに充分なほど相違させるマスキングシーケンスを使用することができる。例えば、ある実施形態では、擬似ランダムコードが使用される。
【００２７】
受信器において、復号動作は、（１）マスク除去、（２）デインターリーブ、（３）データ結合、（４）チャンネル修正、（５）ビタビデコーディングを含む。ある実施形態では、ステップの順序を適宜変更することができる。
【００２８】
周波数反復を使用する実施形態では、送信器は、時間ドメインにおけるピーク対平均比（ＰＡＲ）を減少するように周波数ドメイン信号をマスクするのが好ましい。受信器は、送信器により課せられたマスクを除去する。上述した例のように、送信器により使用されるマスクが±１ｓで構成される場合には、受信器におけるＦＦＴ出力の符号を変更することでマスクが除去される。マスクが除去された後に、送信器のインターリーブパターンに基づいてデータがデインターリーブされる。
【００２９】
反復される信号は、受信器において周波数ドメインで結合され、反復される信号のＳＮＲを、反復されなかった信号がもつＳＮＲ以上に増加させる。ＳＮＲは、次のように、チャンネル応答の複素共役を乗算することにより増加される。
2007506359.tif 000003
2007506359.tif 000004
但し、Ｙjは、サブチャンネルｊの信号であり、Ｈjは、サブチャンネルｊの応答であり、Ｙcは、結合信号であり、Ｈcは、結合チャンネルであり、そしてＳcは、同じデータを含む周波数サブチャンネルに対応するインデックスのセットである。
【００３０】
データがビタビ復号器に入力される前にチャンネルの作用を除去して、実際のチャンネル応答に関わりなくビタビ復号器が同じソフト判断ユニットを使用できるようにするのが好ましい。拡張範囲モードでは、結合されたチャンネルがチャンネル修正ユニットに使用される。
【００３１】
周波数ドメイン信号は、ソフト判断ビタビ復号器において経路メトリックを計算するために重み付けされ、そして最適な重みがそれに対応するＳＮＲにより決定される。
【００３２】
結合信号に対して得られるＳＮＲは、次のようになる。
2007506359.tif 000005
但し、Ｅxは、信号電力であり、そしてσj2は、サブチャンネルｊに対するノイズ電力である。結合ＳＮＲは、ビタビ重みを評価するのに使用される。
【００３３】
８０２．１１ａ／ｇ規格は、８０２．１１ａ／ｇ信号におけるタイミングオフセット及び周波数オフセットを推定しそして位相ノイズを追跡する目的で、各ＯＦＤＭ記号に４つのパイロット信号を含ませることを規定する。８０２．１１ａ／ｇシステムは、これら４つのパイロットが位相情報を推定するに充分なほど信頼性があると仮定する。この仮定は、ＳＮＲが非常に低いシステムについては、成立し得ない。パイロットにより位相を推定しそして追跡する上で助けとなるように、周波数ドメイン信号に存在する冗長性が利用される。
【００３４】
位相情報は、周波数ドメインデータから次のように推定される。
１．反復される信号は、ＳＮＲを増加するように周波数ドメインにおいて結合され、長い記号の前段シーケンスと、タイミングオフセットの作用を捕獲する推定傾斜から、チャンネル推定が決定される。
２．以前の記号から推定された位相オフセットを除去した後に、各結合信号に対してハード判断がなされる。
３．結合信号は、それら自身のハード判断で乗算される。ハード判断修正信号の平均値は、現在記号に対する位相オフセットを推定するための角度を評価するのに使用される。
【００３５】
ノイズの作用を減少するために、推定された位相オフセットにフィルタが適用される。一実施形態では、非直線的な中間フィルタが使用される。この非直線的な中間フィルタは、ハード判断エラーにより生じ得る位相オフセットの急激な変化を効果的に検出しそして修正する。
【００３６】
ワイヤレスシステムのための符号化及び復号機構について開示した。周波数ドメインにおける反復コード化を使用するのが好ましい。周波数ダイバーシティを与えるインターリーバーについて説明した。種々の実施形態において、ここに述べた技術を、特定のシステム要件に基づいて組み合せてもよいし、又は別々に使用してもよい。
【００３７】
以上、本発明を明確に理解するために詳細に説明したが、特許請求の範囲内で変更や修正がなされ得ることが明らかであろう。本発明のプロセス及び装置の両方を実施する仕方は、多数あることに注意されたい。従って、上述した実施形態は、本発明を例示するためのもので、これに限定するものではなく、本発明は、特許請求の範囲及びその等効物内で種々変更し得ることを理解されたい。
【図面の簡単な説明】
【００３８】
【図１Ａ】正規の８０２．１１ａ／ｇＯＦＤＭパケットのデータ部分を示す図である。
【図１Ｂ】各記号が２回（ｒ＝２）反復される変形型の８０２．１１ａ／ｇＯＦＤＭパケットのデータ部分を示す図である。
【図２Ａ】ＩＥＥＥ８０２．１１ａ／ｇ仕様書に規定されたようなインターリーバーの出力の後に反復符号化器が配置された送信器システムを示す図である。
【図２Ｂ】図２Ａに示す送信器システムにより送信された信号を受信するための受信器システムを示す図である。
【図３Ａ】上述したような反復コード化ビットを取り扱うように設計されたインターリーバーの入力の前に反復符号化器が配置された送信器システムを示す図である。
【図３Ｂ】図３Ａに示す送信器システムにより送信された信号を受信するための受信器システムを示す図である。
【図４Ａ】インターリーバーを示すテーブルである。
【図４Ｂ】インターリーバーを示すテーブルである。
【図４Ｃ】インターリーバーを示すテーブルである。
【図１Ａ】
2007506359.tif 000006
【図１Ｂ】
2007506359.tif 000007
【図２Ａ】
2007506359.tif 000008
【図２Ｂ】
2007506359.tif 000009
【図３Ａ】
2007506359.tif 000010
【図３Ｂ】
2007506359.tif 000011
【図４Ａ】
2007506359.tif 000012
【図４Ｂ】
2007506359.tif 000013
【図４Ｃ】
2007506359.tif 000014
【国際調査報告】
2007506359.tif 000015
2007506359.tif 000016
2007506359.tif 000017